(57)【特許請求の範囲】
【請求項１】
多数のピンチを有するフレームにおける相対向する一対の辺部の中央部にはフックを該フックの基部を回動中心として該フレームの内外方向に回動自在に備えさせた物干し器において、
前記フックの基部には該フックと直交する回動軸を備えさせ、
前記フレームの前記各辺部には両縁に壁部を設け、該壁部と壁部との間には該フックの回動軸の各端を受ける軸受部を相対向させて配設し、該軸受部と軸受部との間には底板を配設し、各壁部における該軸受部と軸受部との間には該フックを受ける凹部を形成し、該フックにおける回動軸の各端を該フレームの上方より各軸受部に回動自在に挿嵌し、
前記フレームにおける前記各辺部の中央部には、該辺部よりフレームの外方に膨出して該フレームの把持部をなす膨出部を設けたことを特徴とする物干し器。
【請求項２】
前記回動軸の各端には該回動軸よりも小径の突起を設け、各突起を各軸受部に回動自在に挿嵌したことを特徴とする請求項１に記載の物干し器。
【請求項３】
前記フックは該フックの前記基部に対し水平方向に回動自在であることを特徴とする請求項１又は２に記載の物干し器。
【発明の詳細な説明】
【技術分野】
【０００１】
本発明は、物干し器に関するものであり、特に、フレームにおける相対向する一対の辺部の中央部に備えさせたフックを介して物干し竿、物干しロープ等（以下単に「物干し竿」という。）に係止するようにした物干し器に係るものである。
【背景技術】
【０００２】
従来より広く使用されている物干し器（以下「従来の物干し器（Ａ）」という。）においては、フレームに多数のピンチ（洗濯ばさみ）を備えさせ、単一の中央フックをチェーン、ワイヤ等の連結手段により該フレームに連結し、該中央フックを物干し竿に係止することにより該物干し器を該物干し竿に吊り下げるようにしている。
【０００３】
従来の物干し器（Ａ）においては、中央フックがチェーン、ワイヤ等の連結手段を介してフレームに連結されているため、中央フックはフレームから離れた上方に位置する。換言すれば、物干し竿からフレームまでの上下方向の距離が大きい。したがって、例えばマンションの如き高層住宅等においては、一般に物干し竿とベランダ表面との間の上下方向の距離が小さいため、丈の長い洗濯物をベランダに干す場合には、該洗濯物の下端がベランダ表面に接触して汚れるおそれがある。
【０００４】
また、従来の物干し器（Ａ）においては、単一の中央フックを物干し竿に係止しているため、物干し器全体が水平方向に回動して物干し器ないし洗濯物が建物の外壁、窓ガラス等に当接するおそれがある。
【０００５】
このような状況に鑑み、特許第３３８０４７７号公報は、多数のピンチを有するフレームにおける相対向する一対の辺部の中央部にはフックを該フックの基部を回動中心として該フレームの内外方向に回動自在に備えさせてなる物干し器を開示している。以下、特許第３３８０４７７号公報に開示されている物干し器を「従来の物干し器（Ｂ）」という。
【０００６】
従来の物干し器（Ｂ）においては、フックをチェーン、ワイヤ等の連結手段を介することなく、直接フレームに取り付けているため、物干し竿からフレームまでの上下方向の距離が小さい。したがって、物干し竿とベランダ表面との間の上下方向の距離が相対的に大きくなる。その結果、従来の物干し器（Ｂ）においては、丈の長い洗濯物をベランダに干す場合でも、該洗濯物の下端がベランダ表面に接触するおそれが小さくなるという利点がある。
【先行技術文献】
【特許文献】
【０００７】
【特許文献１】特許第３３８０４７７号公報
【発明の概要】
【発明が解決しようとする課題】
【０００８】
しかるに、従来の物干し器（Ｂ）においては、下記の如き問題がある。
【０００９】
（イ）物干し器のフレームは、下面を開口したチャンネル状の断面形状を有し、該フレームにおける相対向する辺部の上壁部に屈曲方向に沿って帯状に開口したフック突出用開口部が形成されており、フックはフレームの下面開口部から該フック突出用開口部に差し込み、該フック突出用開口部より上方に突出させるように構成されている。
【００１０】
したがって、フレームに対するフックの取り付け作業は、面倒であり、効率が悪いという謗りを免れ得ない。
【００１１】
（ロ）すべての洗濯物の荷重は、２個のフック取り付け部にかかるのであるが、該フレームの各辺部おけるフックの取り付け部は、下面が開口しているのみならず、上壁部に屈曲方向に沿って帯状に開口したフック突出用開口部が形成されているため、もともと強度が小さい。したがって、フレームを形成する合成樹脂の劣化に伴い、該フレームおけるフックの取り付け部が破損するおそれがある。
【００１２】
（ハ）フレームの両端に取り付けられた各フックは、水平方向に回動不能であるため、例えば物干し器を室内で収納する際に、該物干し器を鴨居、カーテンレール等に係止することができない。
【００１３】
本発明は、従来の物干し器（Ｂ）における上述の如き問題を解決し、フレームに対するフックの取り付け作業を容易かつ効率的に行うことができ、フレームの各辺部おけるフックの取り付け部が十分な強度を有し、更に、物干し器を室内で収納する際に、該物干し器を鴨居、カーテンレール等に係止することができるようにした物干し器を提供しようとしてなされたものである。
【課題を解決するための手段】
【００１４】
上記課題を解決するために、本発明は、下記の物干し器を提供するものである。
【００１５】
（１）多数のピンチを有するフレームにおける相対向する一対の辺部の中央部にはフックを該フックの基部を回動中心として該フレームの内外方向に回動自在に備えさせた物干し器において、
前記フックの基部には該フックと直交する回動軸を備えさせ、
前記フレームの前記各辺部には両縁に壁部を設け、該壁部と壁部との間には該フックの回動軸の各端を受ける軸受部を相対向させて配設し、該軸受部と軸受部との間には底板を配設し、各壁部における該軸受部と軸受部との間には該フックを受ける凹部を形成し、該フックにおける回動軸の各端を該フレームの上方より各軸受部に回動自在に挿嵌し、
前記フレームにおける前記各辺部の中央部には、該辺部よりフレームの外方に膨出して該フレームの把持部をなす膨出部を設けたことを特徴とする物干し器（請求項１）。
【００１６】
（２）前記回動軸の各端には該回動軸よりも小径の突起を設け、各突起を各軸受部に回動自在に挿嵌する（請求項２）。
【００１７】
（３）前記フックは該フックの前記基部に対し水平方向に回動自在である（請求項３）
【発明の効果】
【００１８】
［請求項１の発明］
フックをフレームに取り付ける際には、フックにおける回動軸の各端をフレームの上方より各軸受部に回動自在に挿嵌すればよいため、フレームに対するフックの取り付け作業を容易かつ効率的に行うことができる。
【００１９】
フックが取り付けられるフレームの前記各辺部には両縁に壁部を設け、更に軸受部と軸受部との間には底板を配設しているため、フレームおけるフックの取り付け部は十分な強度を有しており、破損するおそれがない。
【００２０】
フレームにおける前記各辺部の中央部には、該辺部よりフレームの外方に膨出する膨出部を設けているため、該フレームおけるフックの取り付け部は更に十分な強度を有しており、破損するおそれがない。
【００２１】
［請求項２の発明］
フックをフレームに取り付ける際には、フックの回動軸よりも小径の各突起を各軸受部に挿嵌すればよいため、フレームに対するフックの取り付け作業を一層容易かつ効率的に行うことができる。
【００２２】
［請求項３の発明］
フックはその基部に対し水平方向に回動自在であるため、例えば物干し器を室内で収納する際に、該フックを適宜回動させることにより、該物干し器を鴨居、カーテンレール等に係止することができる。
【図面の簡単な説明】
【００２３】
【図１】図１は、フックとフックが取り付けられるフレームの辺部とを示す斜視図である。
【図２】図２は、フックとフックが取り付けられるフレームの辺部とを示す側面図である。
【図３】図３は、フックをフレームの辺部に取り付けた状態を示す側面図である。
【図４】図４は、物干し器の側面図である。
【図５】図５は、物干し器の正面図である。
【図６】図６は、フレームの平面図である。
【図７】図７は、図６のＶＩＩ−ＶＩＩ線における断面図である。
【図８】図８は、フレームの底面図である。
【発明を実施するための形態】
【００２４】
符号１に示すものは物干し器のフレームである。フレーム１は例えば合成樹脂により形成する。フレーム１の全体形状は、略長方形、略正方形その他如何なるものであっても差し支えない。フレーム１は、一例として、断面略逆Ｕ字状部材により形成する。
【００２５】
フレーム１に多数のピンチ（洗濯ばさみ）３、３・・・を備えさせる。符号５に示すものは、ピンチ３を係止するための係止孔である。
【００２６】
フレーム１における相対向する一対の辺部７、７の中央部７ａ、７ａにはフック９、９を備えさせる。物干し器の使用時には、図４、図５に示すように、フック９、９は物干し竿１０に係止する。
【００２７】
各フック９は、該フック９の基部９ａを回動中心としてフレーム１の内外方向に回動自在となす。すなわち、各フック９は、図５に示すように、フレーム１の内側に略水平に倒れた内側水平状態（図６参照）から直立状態を経てフレーム１の外側に略水平に倒れた外側水平状態までの範囲内において、回動自在である。
【００２８】
各フック９の基部９ａには該フック９と直交する水平方向の回動軸１１を備
えさせる。
【００２９】
次に、フレーム１おけるフック９の取り付け部について説明する。
【００３０】
フレーム１の前記各辺部７における少なくとも中央部７ａには両縁に壁部１３、１３を設ける。壁部１３と壁部１３との間にはフック９の回動軸１１の各端を受ける軸受部１５、１５を相対向させて配設する。各軸受け部１５は、一例として、所定の間隔をおいて相対向させて配設した断面略逆Ｕ字状部１７の端部により形成される。
【００３１】
フレーム１の各辺部７における少なくとも中央部７ａにおいて、軸受部１５と軸受部１５との間には底板１９を配設する。
【００３２】
各壁部１３における軸受部１５と軸受部１５との間にはフック９を受ける凹部２１を形成する。因みに、フック９がフレーム１の内側に略水平に倒れたときに、該フック９は一方の凹部２１に支持され、フック９がフレーム１の外側に略水平に倒れたときに、該フック９は他方の凹部２１に支持される。
【００３３】
フック９における回動軸１１の各端をフレーム１の上方より各軸受部１５に回動自在に挿嵌する。
【００３４】
フレーム１における前記各辺部７の中央部７ａには、好ましくは、該辺部７よりフレーム１の外方に膨出する膨出部２３を設ける。膨出部２３は、フレーム１の把持部をなすものであり、図示の事例においては、膨出部２３の表面に滑り止めの突条２５を多数本設けている。
【００３５】
フック９における前記回動軸１１の各端には該回動軸１１よりも小径の突起２７、２７を設け、各突起２７を各軸受部１５に回動自在に挿嵌する。
【００３６】
フック９は、好ましくは、該フック９の基部９ａに対し水平方向に回動自在である。
【００３７】
なお、前述の如くフレーム１における相対向する一対の辺部７、７の中央部７ａ、７ａにはフック９、９を備えさせる他、単一の中央フック（図示せず。）をチェーン、ワイヤ等の連結手段により該フレーム１に連結してもよい。この場合には、該中央フックを物干し竿１０に係止することにより該物干し器を該物干し竿１０に吊り下げる。
【符号の説明】
【００３８】
１  フレーム
３  ピンチ
５  係止孔
７  辺部
７ａ  中央部
９  フック
９ａ  基部
１０  物干し竿
１１  回動軸
１３  壁部
１５  軸受部
１７  断面略逆Ｕ字状部
１９  底板
２１  凹部
２３  膨出部
２５  突条
２７  突起
【図１】
0005607969.tif 000002
【図２】
0005607969.tif 000003
【図３】
0005607969.tif 000004
【図４】
0005607969.tif 000005
【図５】
0005607969.tif 000006
【図６】
0005607969.tif 000007
【図７】
0005607969.tif 000008
【図８】
0005607969.tif 000009